(57)【要約】【課題】所望の動画を送信する際の適した手法を提案する。【解決手段】動画管理装置２０は、ユーザ３０の要請により、動画登録システム２４を起動してユーザ３０のコンピュータ３２からユーザ３０が選択した動画をアップロードして動画管理データベース２２に登録し、ハガキ印刷システム２６を起動してユーザ３０にアップロードした動画から選択した動画のワンシーンの静止画を選択させ、選択した静止画とその動画を上映するためのＵＲＬとをコンピュータ３２に接続されたプリンタ３８でハガキ５０に印刷する。ハガキ５０を受け取ったユーザ４０がハガキ５０に記載されたＵＲＬをコンピュータ４２のブラウザ４４を起動して入力すると、動画管理装置２０は、動画上映システム２５を起動してＵＲＬのパラメータに含まれる動画のファイル名を取得し、その動画をコンピュータ４２に配信して上映する。【選択図】        図１
2004242087.tif 000002
【特許請求の範囲】
【請求項１】
ネットワークを介して接続されたクライアントコンピュータに動画を送信出力可能な動画送信装置であって、
複数の動画を記憶する動画記憶手段と、
クライアントコンピュータの選択に基づいて前記動画記憶手段に記憶された複数の動画のうち選択された動画を該クライアントコンピュータに表示出力するために送信する選択動画送信手段と、
該送信された動画を前記クライアントコンピュータに表示出力している最中になされた該クライアントコンピュータの指示に基づいて該動画のワンシーンの静止画を送信用シーンとして設定する送信用シーン設定手段と、
該設定された送信用シーンと該送信用シーンの設定に用いられた動画の表示出力のための送信を要請するエレメントとを含む送信用情報を前記クライアントコンピュータの指示に基づいて送信する送信用情報送信手段と、
を備える動画送信制御装置。
【請求項２】
クライアントコンピュータから前記送信用情報に含まれるエレメントを用いて動画の要請がされたとき、該エレメントに対応する動画を該クライアントコンピュータに表示出力するために送信する要請動画送信手段を備える請求項１記載の動画送信制御装置。
【請求項３】
請求項１または２記載の動画送信制御装置であって、
クライアントコンピュータの要請に基づいて該クライアントコンピュータから送信される動画を取得して前記動画記憶手段に記憶する動画取得記憶手段を備え、
前記選択動画送信手段は、前記動画取得記憶手段により取得して前記動画記憶手段に記憶した動画を前記選択された動画として前記クライアントコンピュータに送信する手段である
動画送信制御装置。
【請求項４】
前記送信用情報送信手段は、前記クライアントコンピュータの指示に基づく書式で前記送信用シーンと前記エレメントとが該クライアントコンピュータに接続されたプリンタで印刷されるよう調整してなる情報を前記送信用情報として該クライアントコンピュータに送信する手段である請求項１ないし３いずれか記載の動画送信制御装置。
【請求項５】
前記送信用情報送信手段は、ハガキに前記送信用シーンと前記エレメントとが印刷されるよう前記送信用情報を送信する手段である請求項４記載の動画送信制御装置。
【請求項６】
前記送信用情報送信手段は、前記送信用シーンと前記エレメントとを含む電子メールを作成すると共に該作成した電子メールを前記クライアントコンピュータから指示されたメールアドレスに送信する手段である請求項１ないし３いずれか記載の動画送信制御装置。
【請求項７】
前記送信用情報送信手段は、前記送信用シーンと前記エレメントとを含む電子文書が添付された電子メールを作成すると共に該作成した電子メールを前記クライアントコンピュータから指示されたメールアドレスに送信する手段である請求項１ないし３いずれか記載の動画送信制御装置。
【請求項８】
コンピュータを請求項１ないし７いずれか記載の動画送信制御装置として機能させるプログラム。
【請求項９】
ネットワークに接続されたクライアントコンピュータに動画を表示出力するために送信する動画送信方法であって、
（ａ）クライアントコンピュータの選択に基づいて記憶している複数の動画のうち選択された動画を該クライアントコンピュータに表示出力するために送信し、
（ｂ）該送信した動画を前記クライアントコンピュータに表示出力している最中になされた該クライアントコンピュータの指示に基づいて該動画のワンシーンの静止画を送信用シーンとして設定し、
（ｃ）該設定された送信用シーンと該送信用シーンの設定に用いられた動画の表示出力のための送信を要請するエレメントとを含む送信用情報を前記クライアントコンピュータの指示に基づいて送信し、
（ｄ）該送信した送信用情報に含まれるエレメントを用いて動画の要請がされたときに該エレメントに対応する動画を要請に係るクライアントコンピュータに表示出力するために送信する
動画送信方法。
【請求項１０】
前記ステップ（ａ）は、クライアントコンピュータの要請に基づいて該クライアントコンピュータから送信される動画を取得し、該取得した動画を前記選択された動画として該クライアントコンピュータに表示出力するために送信するステップである請求項９記載の動画送信方法。
【発明の詳細な説明】
【０００１】
【発明の属する技術分野】
本発明は、動画送信制御装置および動画送信方法ならびに動画送信に用いられるプログラムに関し、詳しくは、ネットワークを介して接続されたクライアントコンピュータに動画を送信出力可能な動画送信装置およびネットワークに接続されたクライアントコンピュータに動画を表示出力するために送信する動画送信方法ならびにこうした動画送信に用いられるプログラムに関する。
【０００２】
【従来の技術】
従来、この種の装置としては、複数の画像から選択された画像を添付書類として含む電子メールを作成して送信したり、選択された画像を表示出力するためのアドレスを含む電子メールを作成して送信するものが提案されている（例えば、特許文献１参照）。この装置では、クライアントコンピュータから複数の画像をアップロードし、クライアントコンピュータからの選択と指示，入力に基づいて、アップロードされた画像を所望の送信先に送信できるものとしている。近年では、こうした装置を利用してグリーティングカードを作成して送付することも行なわれている。
【０００３】
【特許文献１】
特許第３３０５６４５号公報（図１、図４）
【０００４】
【発明が解決しようとする課題】
ところで、近年では、コンピュータ技術と通信技術の発達に伴い、静止画の送信だけでなく動画の配信も可能となり、個人的に作成した動画を友人などに配信したいという要請も生じている。
【０００５】
本発明の動画送信制御装置および動画送信方法は、所望の動画を送信する際の適した手法を提案することを目的とする。また、本発明の動画送信に用いられるプログラムは、コンピュータを所望の動画を送信する際の適した手法を実現する動画送信制御装置として機能させることを目的とする。
【０００６】
【課題を解決するための手段およびその作用・効果】
本発明の動画送信制御装置および動画送信方法ならびに動画送信に用いるプログラムは、上述の目的の少なくとも一部を達成するために以下の手段を採った。
【０００７】
本発明の動画送信制御装置は、
ネットワークを介して接続されたクライアントコンピュータに動画を送信出力可能な動画送信装置であって、
複数の動画を記憶する動画記憶手段と、
クライアントコンピュータの選択に基づいて前記動画記憶手段に記憶された複数の動画のうち選択された動画を該クライアントコンピュータに表示出力するために送信する選択動画送信手段と、
該送信された動画を前記クライアントコンピュータに表示出力している最中になされた該クライアントコンピュータの指示に基づいて該動画のワンシーンの静止画を送信用シーンとして設定する送信用シーン設定手段と、
該設定された送信用シーンと該送信用シーンの設定に用いられた動画の表示出力のための送信を要請するエレメントとを含む送信用情報を前記クライアントコンピュータの指示に基づいて送信する送信用情報送信手段と、
を備えることを要旨とする。
【０００８】
この本発明の動画送信制御装置では、クライアントコンピュータが選択した動画をこのクライアントコンピュータに表示出力している最中になされた指示に基づいて動画のワンシーンの静止画とこの動画を表示出力するためのエレメントとを含む送信用情報をクライアントコンピュータの指示に基づいて送信する。即ち、動画中の所望のワンシーンの静止画を動画の表題として用いて動画を表示出力するためのエレメントと共に所望の送信先に送信することができる。ここで、「エレメント」には、対応する動画を表示出力するためのＵＲＬなどが含まれる。
【０００９】
この本発明の動画送信制御装置において、クライアントコンピュータから前記送信用情報に含まれるエレメントを用いて動画の要請がされたとき、該エレメントに対応する動画を該クライアントコンピュータに表示出力するために送信する要請動画送信手段を備えるものとすることもできる。こうすれば、クライアントコンピュータからエレメントを用いて動画の要請をするだけでエレメントに対応する動画を表示出力することができる。
【００１０】
また、本発明の動画送信制御装置において、クライアントコンピュータの要請に基づいて該クライアントコンピュータから送信される動画を取得して前記動画記憶手段に記憶する動画取得記憶手段を備え、前記選択動画送信手段は前記動画取得記憶手段により取得して前記動画記憶手段に記憶した動画を前記選択された動画として前記クライアントコンピュータに送信する手段であるものとすることもできる。こうすれば、個人的に作成した動画について所望のワンシーンの静止画を表題としてその動画を表示出力するためのエレメントと共に所望の送信先に送信することができる。
【００１１】
さらに、本発明の動画送信制御装置において、前記送信用情報送信手段は、前記クライアントコンピュータの指示に基づく書式で前記送信用シーンと前記エレメントとが該クライアントコンピュータに接続されたプリンタで印刷されるよう調整してなる情報を前記送信用情報として該クライアントコンピュータに送信する手段であるものとすることもできる。こうすれば、クライアントコンピュータから書式を指示することにより送信用シーンとエレメントとをクライアントコンピュータに接続されたプリンタで印刷することができる。この態様の本発明の動画送信制御装置において、前記送信用情報送信手段は、ハガキに前記送信用シーンと前記エレメントとが印刷されるよう前記送信用情報を送信する手段であるものとすることもできる。こうすれば、ハガキに送信用シーンとエレメントとを印刷して所望の宛先に郵送することができる。
【００１２】
あるいは、本発明の動画送信制御装置において、前記送信用情報送信手段は、前記送信用シーンと前記エレメントとを含む電子メールを作成すると共に該作成した電子メールを前記クライアントコンピュータから指示されたメールアドレスに送信する手段であるものとすることもできるし、前記送信用シーンと前記エレメントとを含む電子文書が添付された電子メールを作成すると共に該作成した電子メールを前記クライアントコンピュータから指示されたメールアドレスに送信する手段であるものとすることもできる。こうすれば、ネットワークを用いて所望の送信先に送信用シーンとエレメントとを送信することができる。
【００１３】
本発明の動画送信に用いるプログラムは、コンピュータを上述したいずれかの態様の本発明の動画送信制御装置、即ち、基本的には、ネットワークを介して接続されたクライアントコンピュータに動画を送信出力可能な動画送信装置であって、複数の動画を記憶する動画記憶手段と、クライアントコンピュータの選択に基づいて前記動画記憶手段に記憶された複数の動画のうち選択された動画を該クライアントコンピュータに表示出力するために送信する選択動画送信手段と、該送信された動画を前記クライアントコンピュータに表示出力している最中になされた該クライアントコンピュータの指示に基づいて該動画のワンシーンの静止画を送信用シーンとして設定する送信用シーン設定手段と、該設定された送信用シーンと該送信用シーンの設定に用いられた動画の表示出力のための送信を要請するエレメントとを含む送信用情報を前記クライアントコンピュータの指示に基づいて送信する送信用情報送信手段と、を備える動画送信制御装置として機能させることを要旨とする。
【００１４】
この本発明の動画送信に用いるプログラムでは、コンピュータを上述したいずれかの態様の本発明の動画送信制御装置として機能させるから、本発明の動画送信制御装置が奏する効果、例えば、動画中の所望のワンシーンの静止画を動画の表題として用いて動画を表示出力するためのエレメントと共に所望の送信先に送信することができる効果などと同様な効果を奏することができる。
【００１５】
本発明の動画送信方法は、
ネットワークに接続されたクライアントコンピュータに動画を表示出力するために送信する動画送信方法であって、
（ａ）クライアントコンピュータの選択に基づいて記憶している複数の動画のうち選択された動画を該クライアントコンピュータに表示出力するために送信し、
（ｂ）該送信した動画を前記クライアントコンピュータに表示出力している最中になされた該クライアントコンピュータの指示に基づいて該動画のワンシーンの静止画を送信用シーンとして設定し、
（ｃ）該設定された送信用シーンと該送信用シーンの設定に用いられた動画の表示出力のための送信を要請するエレメントとを含む送信用情報を前記クライアントコンピュータの指示に基づいて送信し、
（ｄ）該送信した送信用情報に含まれるエレメントを用いて動画の要請がされたときに該エレメントに対応する動画を要請に係るクライアントコンピュータに表示出力するために送信する
ことを要旨とする。
【００１６】
この本発明の動画送信方法によれば、クライアントコンピュータが選択した動画をこのクライアントコンピュータに表示出力している最中になされた指示に基づいて動画のワンシーンの静止画とこの動画を表示出力するためのエレメントとを含む送信用情報をクライアントコンピュータの指示に基づいて送信すると共にこの送信した送信用情報に含まれるエレメントを用いて動画の要請がされたときにこのエレメントに対応する動画を要請に係るクライアントコンピュータに表示出力するために送信することができる。即ち、動画中の所望のワンシーンの静止画を動画の表題として用いて動画を表示出力するためのエレメントと共に所望の送信先に送信すると共にエレメントを用いた要請により対応する動画を送信することができる。
【００１７】
こうした本発明の動画送信方法において、前記ステップ（ａ）は、クライアントコンピュータの要請に基づいて該クライアントコンピュータから送信される動画を取得し、該取得した動画を前記選択された動画として該クライアントコンピュータに表示出力するために送信するステップであるものとすることもできる。こうすれば、個人的に作成した動画について所望のワンシーンの静止画を表題としてその動画を表示出力するためのエレメントと共に所望の送信先に送信することができる。
【００１８】
【発明の実施の形態】
次に、本発明の実施の形態を実施例を用いて説明する。図１は、本発明の一実施例である動画管理装置２０を含む動画上映システム１０の構成の概略を示す構成図である。実施例の動画管理装置２０は、インターネット１２を介して接続されたユーザ３０のコンピュータ３２から動画をアップロードしたり同じくインターネット１２を介してユーザ４０のコンピュータ４２にアップロードされた動画を配信して上映したりする動画のアップロードや上映を管理する動画上映サイトを提供するウェブサーバとして構成されており、アップロードされた動画を記憶する動画管理データベース２２を備え、ユーザ３０のコンピュータ３２から動画をアップロードするための動画登録システム２４やアップロードした動画をユーザ４０のコンピュータ４２に配信して上映するための動画上映システム２５，アップロードされた動画のワンシーンの静止画をユーザ３０のコンピュータ３２に接続されたプリンタ３８でハガキ５０に印刷するためのハガキ印刷システム２６，アップロードされた動画のワンシーンの静止画を含むメールをユーザ４０に送信するためのメール送信システム２７などがインストールされている。なお、実施例では、説明の容易のために、ユーザ３０のコンピュータ３２から動画をアップロードし、アップロードした動画のワンシーンをユーザ３０のコンピュータ３２に接続されたプリンタ３８でハガキ５０に印刷し、このハガキ５０を受け取ってハガキ５０に記載されたＵＲＬを入力したユーザ４０のコンピュータ４２にアップロードした動画を配信して上映したり、アップロードした動画のワンシーンを含むメールをユーザ４０に送信し、このメールに含まれるＵＲＬがユーザ４０によりクリックされることによりユーザ４０のコンピュータ４２にアップロードした動画を配信して上映する際の動作を具体例として説明するが、ユーザ３０やユーザ４０は不特定多数のものであり、ユーザ３０やユーザ４０に限定されるものではないのは勿論である。
【００１９】
ユーザ３０のコンピュータ３２やユーザ４０のコンピュータ４２は、ＣＰＵやＲＯＭを中心とする一般的なパーソナルコンピュータとして構成されており、共にブラウザ３４，４４がインストールされている。また、ユーザ３０のコンピュータ３２には、プリンタドライバ３６がインストールされていると共にケーブルによりプリンタ３８が接続されている。なお、ユーザ４０のコンピュータ４２も、プリンタドライバ３６がインストールされていると共にケーブルによりプリンタ３８が接続されているものとしてもよいのは勿論である。
【００２０】
次に、こうして構成された実施例の動画管理装置２０の動作について説明する。実施例の動画管理装置２０は、インターネット１２を介して動画上映サイトのログインに必要なＩＤとパスワードを入力する図２に例示するログイン画面をユーザ３０のコンピュータ３２に表示出力してＩＤとパスワードを認証した後に、図３に例示する動画上映サイトの処理選択画面をコンピュータ３２に表示出力する。そして、この処理選択画面の入力に従って各処理を実行する。以下、各処理について説明する。
【００２１】
図４は、ユーザ３０のコンピュータ３２に表示された図３の処理選択画面でユーザ３０が「動画の登録」を選択したときに動画管理装置２０の動画登録システム２４が起動されて実行される動画登録処理の一例を示すフローチャートである。この動画登録処理が実行されると、まず、図５に例示する動画入力画面をユーザ３０のコンピュータ３２に表示出力してアップロードする動画のファイル名を入力する処理を実行する（ステップＳ１００）。図５の動画入力画面の例では、ディレクトリを参照しながら動画のファイル名を入力できるようになっているから、ユーザ３０はコンピュータ３２の図示しないハードディスクドライブのディレクトリを選択してファイルを入力することができる。
【００２２】
アップロードする動画のファイル名を入力すると、図６に例示するタイトル入力画面をユーザ３０のコンピュータ３２に表示出力して、アップロードしたときに表示される動画のタイトルを入力させ（ステップＳ１１０）、このタイトル入力画面で［次へ］ボタンが操作されると、入力された動画をアップロードして動画管理データベース２２にユーザ３０のＩＤと関連付けてタイトルと共に記憶し（ステップＳ１２０）、この動画登録処理を終了する。なお、実施例では、一つの動画を選択してアップロードするものとして説明したが、複数の動画を選択して同時にアップロードするものとしてもよい。
【００２３】
図７は、ユーザ３０のコンピュータ３２に表示された図３の処理選択画面でユーザ３０が「動画のシーンをハガキに印刷」を選択したときに動画管理装置２０のハガキ印刷システム２６が起動されて実行されるハガキ印刷処理の一例を示すフローチャートである。このハガキ印刷処理が実行されると、まず、図８に例示する動画選択画面をユーザ３０のコンピュータ３２に表示出力してワンシーンをハガキに印刷する動画を選択する処理を実行する（ステップＳ２００）。図８の動画選択画面の例では、ユーザ３０がそれまでにアップロードした動画のスタート画像のサムネイルがそのタイトルと共に一覧表示されるから、ユーザ３０は選択しようとする動画のスタート画面のサムネイルを選択するだけでよい。なお、動画選択画面は、ユーザ３０のＩＤをキーとして動画管理データベース２２から動画を抽出し、そのスタート画像のサムネイルとタイトルとを一覧表示することにより作成することができる。
【００２４】
こうして動画を選択すると、図９に例示するシーン選択画面を３０のコンピュータ３２に表示出力して選択した動画のワンシーンを選択する処理を行なう（ステップＳ２１０）。この図９のシーン選択画面の例では、［スタート］ボタンを押して選択した動画を上映し、所望のシーンで［選択］ボタンを押すことにより動画のワンシーンの静止画を選択することができる。このシーン選択画面で動画のワンシーンを選択し、［次へ］ボタンを押すと、図１０に例示するシーン確認画面がユーザ３０のコンピュータ３２に表示され、ユーザ３０がこのシーン確認画面で［次へ］ボタンを選択することにより、表示された静止画がシーンとして選択される。なお、図１０のシーン確認画面では、［戻る］ボタンを押すことにより、図９のシーン選択画面を再びユーザ３０のコンピュータ３２に表示出力して、動画のワンシーンを再度選択することができるようになっている。
【００２５】
シーンが選択されると、図１１に例示するコメント入力画面をユーザ３０のコンピュータ３２に表示出力してシーンをハガキに印刷する際に同時に印刷するコメントを入力する処理を実行する（ステップＳ２２０）。ハガキに印刷するコメントが入力され、［次へ］ボタンが押されると、選択された動画のワンシーンと入力されたコメントとパラメータとして動画のファイル名が組み込まれた動画を上映するためのＵＲＬとをハガキ印刷用にレイアウトして印刷用画像として調整し（ステップＳ２３０）、調整した印刷用画像をプレビュー表示する印刷確認画面をユーザ３０のコンピュータ３２に表示出力して印刷用画像の確認を行なう（ステップＳ２４０）。図１２に印刷確認画面の一例を示す。この印刷確認画面では、調整された印刷用画像が等倍でプレビュー表示される。
【００２６】
ユーザ３０がコンピュータ３２に接続されたプリンタ３８にハガキ５０をセットすると共にコンピュータ３２に表示出力された印刷確認画面から［次へ］ボタンを選択すると、動画管理装置２０は、配信される画像を自動的にプリンタで印刷するアプレット（プログラム）をユーザ３０のコンピュータ３２に送信すると共に調整した印刷用画像をインターネット１２を介してユーザ３０のコンピュータ３２に配信して（ステップＳ２５０）、このハガキ印刷処理を終了する。印刷用画像の配信を受けたコンピュータ３２は、その前に動画管理装置２０から送信されてインストールされたアプレットにより、自動的に配信された印刷用画像をプリンタ３８にセットされたハガキに印刷する。ユーザ３０は、こうして選択した動画のワンシーンの静止画とコメントと動画の上映を行なうＵＲＬとが印刷されたハガキを選択した動画を見てもらいたい人（実施例ではユーザ４０）に郵送するのである。
【００２７】
図１３は、ユーザ３０のコンピュータ３２に表示された図３の処理選択画面でユーザ３０が「動画のシーンをメールで送信」を選択したときに動画管理装置２０のメール送信システム２７が起動されて実行されるメール送信処理の一例を示すフローチャートである。このメール送信処理が実行されると、図７に例示したハガキ印刷処理のステップＳ２００の処理やＳ２１０の処理と同様の動画の選択処理（ステップＳ３００）やシーンの選択処理（ステップＳ３１０）が実行される。これらの処理については、、図８ないし図１０を用いて説明した。
【００２８】
シーンが選択されると、図１４に例示するアドレスコメント入力画面をユーザ３０のコンピュータ３２に表示出力して選択した動画を見てもらいたい人（実施例ではユーザ４０）のメールアドレスと電子メールに記載するコメントを入力する処理を実行する（ステップＳ３２０）。メールアドレスとメールに記載するコメントとが入力され、アドレスメール入力画面の［次へ］ボタンが押されると、選択された動画のワンシーンと入力されたコメントとパラメータとして動画のファイル名が組み込まれた動画を上映するためのＵＲＬとが含まれる電子メールを作成し（ステップＳ３３０）、図１５に例示するメール確認画面をユーザ３０のコンピュータ３２に表示出力してメールアドレスや電子メールの内容について確認する処理を実行する（ステップＳ３４０）。ユーザ３０がメール確認画面でメールアドレスや電子メールの内容を確認して［次へ］ボタンが押されると、作成した電子メールを入力されたメールアドレスに送信して（ステップＳ３５０）、このメール送信処理を終了する。
【００２９】
図１６は、動画管理装置２０の動画上映システム２５が起動されて実行される動画上映処理の一例を示すフローチャートである。動画上映システム２５は、ユーザ４０のコンピュータ４２のブラウザ４４からユーザ３０がハガキ印刷システム２６を起動して印刷しユーザ４０に郵送したハガキ５０に記載されたＵＲＬが入力されたときや、ユーザ３０がメール送信システム２７を起動して動画管理装置２０からユーザ４０に送信した電子メールに記載されたＵＲＬが選択されたときに起動される。画像上映処理が実行されると、動画管理装置２０は、まず、入力されたＵＲＬのパラメータから動画のファイル名を取得する（ステップＳ４００）。そして、取得した動画のファイル名に基づいて動画管理データベース２２から動画のファイルを検索し、検索した動画のスタート画面をはめ込んだ図１７に例示する動画上映画面をユーザ３０のコンピュータ３２に表示出力し（ステップＳ４１０）、この動画上映画面の［スタート］ボタンが押されたときに、この動画上映画面で検索した動画が上映されるよう動画をユーザ３０のコンピュータ３２に配信して（ステップＳ４２０）、この動画上映処理を終了する。
【００３０】
以上説明した実施例の動画管理装置２０によれば、所望の動画をアップロードすると共にアップロードした動画のワンシーンの静止画を選択して動画を上映するＵＲＬと共にハガキに印刷することができる。こうした動画のワンシーンの静止画が印刷されたハガキ５０を受け取ったユーザ４０は、ハガキ５０に記載されたＵＲＬをコンピュータ４２でブラウザ４４を起動して入力するだけで、ハガキ５０に印刷された静止画に対応する動画を上映する画面をコンピュータ４２に表示して動画の上映を楽しむことができる。即ち、所望の動画をハガキを用いて所望の相手に送信することができる。
【００３１】
また、実施例の動画管理装置２０によれば、所望の動画をアップロードすると共にアップロードした動画のワンシーンの静止画を選択して動画を上映するＵＲＬと共に電子メールとして所望の相手に送信することができる。このメールを受信したユーザ４０は、メールに記載されたＵＲＬを選択するだけで、メールに含まれる静止画に対応する動画を上映する画面をコンピュータ４２に表示して動画の上映を楽しむことができる。即ち、所望の動画を電子メールを用いて所望の相手に送信することができる。
【００３２】
ここで、実施例の動画管理装置２０は、動画管理データベース２２が動画記憶手段に相当し、ハガキ印刷システム２６が起動されて実行する図７に例示するハガキ印刷処理におけるステップＳ２００，Ｓ２１０の処理やメール送信システム２７が起動されて実行する図１３のメール送信処理におけるステップＳ３００，Ｓ３１０の処理が選択動画送信手段に相当し、同じくハガキ印刷処理におけるステップＳ２１０の処理やメール送信処理におけるステップＳ３１０の処理が送信用シーン設定手段に相当し、同じくハガキ印刷処理におけるステップＳ２３０ないしＳ２５０の処理やメール送信処理におけるステップＳ３３０ないしＳ３５０の処理が送信用情報送信手段に相当する。
【００３３】
実施例の動画管理装置２０では、ハガキ印刷システム２６とメール送信システム２７とがインストールされ、ハガキ印刷システム２６が起動されたときには図７に例示するハガキ印刷処理を実行し、メール送信システム２７が起動されたときにはメール送信処理を実行するものとしたが、メール送信システム２７についてはインストールされておらずハガキ印刷システム２６のみがインストールされているものとしてもよく、逆にハガキ印刷システム２６についてはインストールされておらずメール送信システム２７のみがインストールされているものとしてもよい。
【００３４】
実施例の動画管理装置２０では、アップロードした動画の選択されたワンシーンの静止画とその動画を上映するためのＵＲＬとコメントとをハガキに印刷するものとしたが、ハガキ以外のサイズの印刷用紙や印刷用紙以外の媒体に印刷するものとしてもよい。
【００３５】
実施例の動画管理装置２０では、アップロードした動画の選択されたワンシーンの静止画とその動画を上映するためのＵＲＬとコメントとを含む電子メールを作成して送信するものとしたが、選択された動画のワンシーンの静止画のファイルを添付ファイルとしコメントと動画を上映するためのＵＲＬとだけを含む電子メールを作成して送信するものとしてもよい。この場合、コメントも添付ファイルとしても差し支えない。
【００３６】
実施例の動画管理装置２０では、アップロードした動画の選択されたワンシーンの静止画とその動画を上映するためのＵＲＬとコメントとをハガキに印刷したり電子メールとしたが、選択した動画を上映するためのＵＲＬに代えて選択した動画をダウンロードするためのＵＲＬとしてもよい。こうすれば、選択した動画をウェブ上で上映するだけでなくファイルとして送信することができる。
【００３７】
実施例では、所望の動画の選択されたワンシーンの静止画とその動画を送信するためのＵＲＬとを所望の相手に送信する本発明を動画管理装置２０の形態として説明したが、動画管理装置２０により行なわれる動画送信方法の形態としてもよく、コンピュータを動画管理装置２０として機能させるプログラムの形態としてもよい。このプログラムの形態とする場合、図４の動画登録処理や図７のハガキ印刷処理，図１３のメール送信処理，図１６の動画上映処理の各ステップを各手順として適当なプログラミング言語によりプログラムすればよい。
【００３８】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】動画上映システム１０の構成の概略を示す構成図。
【図２】ログイン画面の一例を示す説明図。
【図３】処理選択画面の一例を示す説明図。
【図４】動画登録処理の一例を示すフローチャート。
【図５】動画入力画面の一例を示す説明図。
【図６】タイトル入力画面の一例を示す説明図。
【図７】ハガキ印刷処理の一例を示すフローチャート。
【図８】動画選択画面の一例を示す説明図。
【図９】シーン選択画面の一例を示す説明図。
【図１０】シーン確認画面の一例を示す説明図。
【図１１】コメント入力画面の一例を示す説明図。
【図１２】印刷確認画面の一例を示す説明図。
【図１３】メール送信処理の一例を示すフローチャート。
【図１４】アドレスコメント入力画面の一例を示す説明図。
【図１５】メール確認画面の一例を示す説明図。
【図１６】動画上映処理の一例を示すフローチャート。
【図１７】動画上映画面の一例を示す説明図。
【符号の説明】
１０  動画上映システム、１２  インターネット、２０  動画管理装置、２２動画管理データベース、２４  動画登録システム、２５  動画上映システム、２６  ハガキ印刷システム、２７  メール送信システム、３０  ユーザ、３２  コンピュータ、３４  ブラウザ、３６  プリンタドライバ、３８  プリンタ、４０  ユーザ、４２  コンピュータ、５０  ハガキ。
【図１】
2004242087.tif 000003
【図２】
2004242087.tif 000004
【図３】
2004242087.tif 000005
【図４】
2004242087.tif 000006
【図５】
2004242087.tif 000007
【図６】
2004242087.tif 000008
【図７】
2004242087.tif 000009
【図８】
2004242087.tif 000010
【図９】
2004242087.tif 000011
【図１０】
2004242087.tif 000012
【図１１】
2004242087.tif 000013
【図１２】
2004242087.tif 000014
【図１３】
2004242087.tif 000015
【図１４】
2004242087.tif 000016
【図１５】
2004242087.tif 000017
【図１６】
2004242087.tif 000018
【図１７】
2004242087.tif 000019